(57)【特許請求の範囲】
【請求項１】
常用点灯および非常点灯を切り替えるためのリレーを含む切替回路があり、非常点灯用インバータがあり、電源別置形であり、常用点灯用交流電源専用入力端子と非常点灯用直流電源専用入力端子とを統合一本化した共通入力端子を備えた非常点灯装置において、
前記共通入力端子に電源電圧が印加しても所定遅延時間の間は前記非常点灯用インバータの起動を阻止する手段を含み、かつ
前記電源電圧が交流であることを検知する交流検知手段を設け、前記交流検知手段によって前記電源電圧が交流であることが検知されると、前記起動を阻止する手段による前記所定遅延時間の計時をリセットする手段を設け、再度、前記所定遅延時間の間は前記非常点灯用インバータの起動を阻止することを特徴とする非常点灯装置。
【発明の詳細な説明】
【０００１】
【発明の属する技術分野】
本発明は常用点灯および非常点灯の切替回路があり、非常点灯用インバータがあり、電源別置形であり、常用点灯用交流電源専用入力端子と非常点灯用直流電源専用入力端子とを統合一本化した共通入力端子を備えた非常点灯装置に関する。
【０００２】
【従来の技術】
図３のこの種の従来装置について説明する。非常点灯用直流電源専用入力端子２と常用点灯用交流電源専用入力端子３を備える。これらは４線引配線の場合に使用する。これを２線引配線に改める場合は端子２・３を統合した端子１を併設する。
４線引配線の場合は、非常点灯用直流電源専用入力端子２に図外の非常点灯用直流電源配線が接続され、また常用点灯用交流電源専用入力端子３に図外の常用点灯用交流電源配線が接続される。統合端子１は省略されており、以上の両者は別個独立の配線となる。通常の常用点灯時は、常用点灯用交流電源専用入力端子３に常用点灯用交流電源電圧が入力し、リレー３４が動作し、各リレー接点３５がｂ側に切り替る。よって蛍光ランプ３２は常用点灯用交流電源から安定器３３を介して給電され、常用点灯する。常用点灯用交流電源が停電し、リレー３４がオフすると、各リレー接点３５がａ側に戻る。このため、非常点灯用直流電源電圧が非常点灯用インバータに印加し、主トランジスタ２０・２１にチョークコイル１８、抵抗１８・１９・２２・２３を経由して電流が流れ、非常点灯用インバータよる非常点灯がなされる。
２線引配線の場合は、統合端子１を付加する。統合端子１に常用点灯用交流電源電圧が印加すると、リレー３４が動作し、各リレー接点３５がｂ側接点に切り替わる。その切り替わりに数ｍｓの時間がかかる。それまでの間は、非常点灯用直流電源専用入力端子２を介して常用点灯用交流電源電圧が非常点灯用インバータに印加する。これにより、トランジスタ２０・２１は動作する。常用点灯用交流電源電圧は非常点灯用直流電源電圧よりも高いので、トランジスタ２０・２１の耐圧を脅かす。
【０００３】
【発明が解決しようとする課題】
上記従来装置においては、非常点灯用インバータに、非常点灯用切替用リレーが動作するまでの間、高い常用点灯用交流電源電圧が印加する。このため、非常点灯用インバータ用の主トランジスタが破損する心配があった。本発明の目的はこの耐圧不安を解消することである。
【０００４】
【課題を解決するための手段】
本発明装置は、常用点灯および非常点灯を切り替えるためのリレーを含む切替回路を備える。非常点灯用インバータを備える。電源別置形である。常用点灯用交流電源専用入力端子と非常点灯用直流電源専用入力端子とを統合一本化した共通入力端子を備える。本発明は以上のような非常点灯装置を前提とする。
本発明装置は、前記共通入力端子に電源電圧が印加しても所定遅延時間の間は前記非常点灯用インバータの起動を阻止する手段を含み、かつ前記電源電圧が交流である場合は前記所定遅延時間が経過しても前記非常点灯用インバータの起動を阻止する手段を含む識別回路を備える。
【０００５】
【発明の実施の態様】
本発明の一実施態様を図１および図２を使って説明する。この非常点灯装置は、非常点灯用直流電源専用入力端子２と常用点灯用交流電源専用入力端子３を備える。また、非常点灯用直流電源専用入力端子２・常用点灯用交流電源専用入力端子３を統括一本化した共通入力端子１を備える。共通入力端子１は２線引配線の折に使用する。共通入力端子１とそのための回路を省けば非常点灯用直流電源専用入力端子２・常用点灯用交流電源専用入力端子３を使う４線引配線対応形に改め得る。以下、２線引配線の場合の動作について説明する。
共通入力端子１に非常点灯用直流電源・常用点灯用交流電源のいずれかの電圧が印加する。常用点灯時は常用点灯用交流電源電圧が入力し、リレー３４が動作し、各リレー接点３５がリレー接点ｂ側に閉じる。よって蛍光ランプ３２には常用点灯用交流電源から安定器３３を介して給電され、常用点灯する。
常用点灯用交流電源電圧は非常点灯用の非常点灯用インバータにも印加するが、それによる発振は次のようにして抑制される。リセットＩＣ１１の１番ピンにはダイオード４、抵抗５・６、電解コンデンサ７、ツェナーダイオード８により構成される直流平滑電圧Ｖ１が入力する。リセットＩＣ１１の次の２番ピンにはダイオード４による半波整流後の電圧を抵抗９・１０により分圧した電圧Ｖ２が入力する。電圧Ｖ２の波形は図２の通りである。この時のリセットＩＣ１１の５番ピンの出力はＬ出力であるが、電圧Ｖ２が図２のしきい値Ｖ１を越え、かつリセットＩＣ１１の３番ピンに接続されたコンデンサ１２により設定される遅延時間ｔ２が過ぎると、５番ピンの出力はＨ出力に転向する。図２のｔ１は２番ピンに入力された電圧Ｖ２がしきい値Ｖ１を越える周期である。前記遅延時間ｔ２を周期ｔ１より少し長く設定する。このようにすると、遅延時間ｔ２を越える前に、電圧Ｖ２が再びしきい値Ｖ１を越え、新たな遅延時間ｔ２が設定されるため、常用点灯用交流電源電圧が入力している間は５番ピンの出力はＬ出力のままに保持される。よってトランジスタ１４・１６はオフであり、非常点灯用インバータは発振せず、非常点灯もしない。
その後、停電となり常用点灯用交流電源電圧に代わって非常点灯用直流電源電圧が入力する。すると、リレー３４がオフとなり、各リレー接点３５はａ側に戻る。よって非常点灯用インバータは、リセットＩＣ１１に入力される抵抗９・１０により分圧された電圧が、図２の時間ｔ１の時に電圧Ｖ２が１度だけしきい値Ｖ１を越える。その後はコンデンサ１２による遅延時間ｔ２経過後に、リセットＩＣ１１の５番ピン出力がＨ出力となるため、トランジスタ１４およびおよび１６がオンし、非常点灯用インバータに第２図のＶｂの様に直流電圧が印加し、主トランジスタ２０・２１が発振を始め、蛍光ランプ３２が非常点灯する。
リセットＩＣ１１等は共通入力端子１に電源電圧が印加しても所定遅延時間ｔ２の間は非常点灯用インバータの起動を阻止し、かつ電源電圧が交流である場合は所定遅延時間ｔ２が経過しても非常点灯用インバータの起動を阻止する識別回路を構成する。この識別回路は交流および直流の識別をする簡易回路であり、どちらの電源電圧が入力しても、とりあえず最初の一定時間は非常点灯用インバータを発振しないに止めて安全サイドに働くようにしてあるので、信頼性が高い。図１における５・６・９・１０・１３・１５・１７・１９・２２・２３・２５は抵抗、７・２６はアルミ電解コンデンサ、８・２４はツェナーダイオード、１２・２９・３０・３６・３７はフィルムコンデンサ、１４・１６・２０・２１はトランジスタ、１８はチョークコイル、２８は発振トランス、３１はグロースタータである。
【０００６】
【発明の効果】
本発明は共通入力端子に電源電圧が印加しても所定遅延時間の間は前記非常点灯用インバータの起動を阻止し、かつ電源電圧が交流である場合は所定遅延時間が経過しても非常点灯用インバータの起動を阻止する識別回路を設けたものである。これによれば、高い常用点灯用交流電源電圧が非常点灯用インバータに印加しないので、その耐圧不安を解消することでができる。
【図面の簡単な説明】
【図１】本発明の一実施例の交流，直流識別回路を備えた非常点灯装置である。
【図２】本発明の交流，直流識別回路の入力電圧波形である。
【図３】従来の非常点灯装置である。
【符号の説明】
１  ：共通入力端子
２  ：非常点灯用直流電源専用入力端子
３  ：常用点灯用交流電源専用入力端子
４  ：ダイオード
５・６・９・１０・１３・１５・１７・１９・２２・２３・２５：抵抗
７・２６：アルミ電解コンデンサ
８・２４：ツェナーダイオード
１１：リセットＩＣ
１２・２９・３０・３６・３７：フィルムコンデンサ
１４・１６・２０・２１：トランジスタ
１８：チョークコイル
２８：発振トランス
３１：グロースタータ
３２：蛍光ランプ
３３：安定器
３４：リレー
３５：リレー接点
【図１】
0003823356.tif 000002
【図２】
0003823356.tif 000003
【図３】
0003823356.tif 000004